(57)【要約】      （修正有）【課題】ポールを床面と天井面との間に強固に安定して固定し得るようにする縦型介護用ポール装置を提供する。【解決手段】床面Ｆに固定される床面用台座と、天井面Ｃに固定される天井面用台座と、両台座の間に設けられるポール１と、ポールの下端を床面用台座に固定する床固定具２０と、ポールの上端を天井面用台座に固定する天井固定具３０と、を備え、床固定具２０は突張力調整機構を、天井面用固定具３０は弾性支持機構を有し、突張力調整機構及び弾性支持機構による床面Ｆと天井面Ｃへの突っ張りによってポール１を床面Ｆと天井面Ｃの間に固定する縦型介護用ポール装置Ａである。床面用台座と床面Ｆとの間に、及び天井面用台座と天井面Ｃとの間に、床面用台座又は天井面用台座に固定の床面用補強板４０又は天井面用補強板５０をそれぞれ設ける。【選択図】図１
0003219469.tif 000002
【実用新案登録請求の範囲】
【請求項１】
床面（Ｆ）と天井面（Ｃ）との間に設けられる縦型介護用ポール装置（Ａ）であって、
上記床面（Ｆ）に固定される床面用台座（２１）と、上記天井面（Ｃ）に固定される天井面用台座（３１）と、前記両台座（２１、３１）の間に設けられるポール（１）と、前記ポール（１）の下端を床面用台座（２１）に固定する床固定具（２０）と、前記ポール（１）の上端を天井面用台座（３１）に固定する天井固定具（３０）と、を備え、
上記床固定具（２０）は突張力調整機構を有し、上記天井固定具（３０）は弾性支持機構（３０）を有し、前記突張力調整機構及び弾性支持機構による床面（Ｆ）と天井面（Ｃ）への突っ張りによってポール（１）を床面（Ｆ）と天井面（Ｃ）の間に固定し、
上記床面用台座（２１）と床面（Ｆ）との間に、及び上記天井面用台座（３１）と天井面（Ｃ）との間に、上記床面用台座（２１）又は天井面用台座（３１）に固定の床面用補強板又は天井面用補強板をそれぞれ設けた縦型介護用ポール装置。
【請求項２】
上記床面用補強板（４０、４２、４３）は、平面視小判状、同四角形状、同六角形状又は同台形状をしていることを特徴とする請求項１に記載の縦型介護用ポール装置。
【請求項３】
上記天井面用補強板（５０、５２、５３）は、下面視小判状、同四角形状、同六角形状又は同台形状をしていることを特徴とする請求項１又は２に記載の縦型介護用ポール装置。
【請求項４】
上記天井面用補強板（５４、５５、５６、５７）は、下面視小判状（５４ａ）の一側両端部に半円状突片（５４ｂ）を設けた形状、同小判状（５６ａ）の一側中央部に半円状突片（５６ｂ）を設けた形状、同小判状（５７ａ）の両端部両側に半円状突片（５７ｂ）を設けた形状、又は同小判状（５５ａ）の中央部両側に半円状突片（５５ｂ）を設けた形状をしていることを特徴とする請求項１又は２に記載の縦型介護用ポール装置。
【請求項５】
上記天井面用補強板（６０）は、２枚の板片（６１、６１）を角度（θ）を持って蝶番（６２）によって連結したものであり、ボルト（６３）によって前記両板片（６１、６１）の成す角度（θ）が調整・固定可能であって、下側となる板片（６１）に上記天井面用固定具（３０）が取付られることを特徴とする請求項１又は２に記載の縦型介護用ポール装置。
【請求項６】
上記天井面用補強板（７０）は、長尺板（７１）の両端に横方向に延びる腕片（７２）を設けたものであり、前記長尺板（７１）に天井面用固定具（３０）が取付られることを特徴とする請求項１又は２に記載の縦型介護用ポール装置。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置に関するものである。
【背景技術】
【０００２】
従来、足の弱った人が椅子、ベッドや便器等から立ち上がるのを補助する介護装置として、天井面と床面の間に立設する縦型介護用ポール装置が知られている。
この縦型介護用ポール装置として、例えば、上下方向のポールと、そのポールの上端に取付けられる天井側アタッチメントと、ポールの下端に取付けられる床側アタッチメントとを備えたものであり、その天井側アタッチメントとポール上端との間に弾性支持機構を設け、床側アタッチメントとポール下端との間に突張力調整機構を設けたものがある（特許文献１段落００２０〜００６７、図１等参照）。
【０００３】
この縦型介護用ポール装置は、突張力調整機構によってポールを床面と天井面の間に突っ張らせて固定すると共に、弾性支持機構によってその突っ張り力の補助及び緩和を図って、ポールを床面と天井面の間に固定する。
【先行技術文献】
【特許文献】
【０００４】
【特許文献１】特開２０００ー３１４２２０号公報
【考案の概要】
【考案が解決しようとする課題】
【０００５】
天井側アタッチメントと床側アタッチメントを天井面及び床面にビス等によって不動に固定すれば、ポールは安定する。しかし、床面や天井面にビス孔を形成することが嫌がられたりすると、上記縦型介護用ポール装置は、突張力調整機構及び弾性支持機構による床面と天井面への突っ張りによってポールを床面と天井面の間に固定することとなる。このため、従来では、床側アタッチメントと床面、及び天井側アタッチメントと天井面との接触面積が小さいことから、床面や天井面の剛性度合いによってポールが安定しない場合が生じていた。
ポールの床面と天井面との間の固定状態が安定的でないと、人が捕まった際、ポールが揺れて危険である。
【０００６】
ここで、アタッチメントに床面及び天井面との接触面積の大きいものを設ければ良いが、この縦型介護用ポール装置においては、接触面積の大きなアタッチメントは要求されない。
特に、レンタル用縦型介護用ポール装置は、突張力調整機構及び弾性支持機構による床面と天井面への突っ張りによってポールを床面と天井面の間に固定するものが一般的であり、持ち運びの簡便さから、嵩が小さいものが好まれ、アタッチメントも同様に小さいことが求められる。
【０００７】
この考案は、突張力調整機構及び弾性支持機構による床面と天井面への突っ張りによってポールを床面と天井面の間に固定する縦型介護用ポール装置において、ポールを床面と天井面との間に強固に安定して固定し得るようにすることを課題とする。
【課題を解決するための手段】
【０００８】
上記課題を達成するために、この考案は、突張力調整機構を有する床面用台座と床面との間、及び弾性支持機構を有する天井面用台座と天井面との間に、床面及び天井面との接触面を多く取れる別物からなる補強板をそれぞれ設けることとしたのである。
別物の補強板であれば、必要に応じて床面用台座、天井面用台座と床面、天井面のそれぞれの間にその補強板を介在させれば良いため、縦型介護用ポール装置においても、所要の大きさの補強板を前記間に介在させれば、ポールを床面と天井面との間に強固に安定して固定し得る。
【０００９】
具体的には、床面と天井面との間に設けられる縦型介護用ポール装置であって、前記床面に固定される床面用台座と、前記天井面に固定される天井面用台座と、前記両台座の間に設けられるポールと、前記ポールの下端を床面用台座に固定する床固定具と、前記ポールの上端を天井面用台座に固定する天井固定具と、を備え、前記床固定具は突張力調整機構を有し、前記天井面用固定具は弾性支持機構を有し、前記突張力調整機構及び弾性支持機構による床面と天井面への突っ張りによってポールを床面と天井面の間に固定し、前記床面用台座と床面との間に、及び前記天井面用台座と天井面との間に、前記床面用台座又は天井面用台座に固定の床面用補強板又は天井面用補強板をそれぞれ設けた構成を採用したのである。
【００１０】
上記床面用補強板は、平面視小判状、同四角形状、同六角形状又は同台形状をしているものとすることができる。通常、床面はフラット（平面）であるから、これらの形状は安定した床面との接触面積を得ることができる。
【００１１】
上記天井面用補強板は、下面視小判状、同四角形状、同六角形状又は同台形状をしているものとしたり、下面視小判状の両端部に半円状突片を設けた形状、同小判状の中央部に半円状突片を設けた形状、同小判状の両端部両側に半円状突片を設けた形状、又は同小判状の中央部両側に半円状突片を設けた形状をしているものとしたり、
下面視、長尺板の両端に横方向に延びる腕片を設け、その腕片の先端裏側には当て片を設けたものであり、腕片は長尺板の長さ方向に取付位置が可変となっており、当て片も腕片の長さ方向に取付位置が可変となっているものとしたりすることができる。
このような形状とすれば、種々の態様の天井面に対応できる。
【００１２】
また、傾斜する天井面には、２枚の板片を角度を持って蝶番によって連結した補強板とし、ボルトによって前記両板片の成す角度が調整・固定可能であるものとすれば、上側の板片を傾斜する天井面に沿わせ、下側の板片が水平になるようにする。
さらに、竿を有する和天井にあっては、長尺板の両端に横方向に延びる腕片を設けた天井面補強板とすれば、腕片を隣り合う竿に架け渡すことによって長尺板を安定させることができる。このため、その長尺板に天井面用固定具を取付ける。
【００１３】
この考案は、以上のように構成して、別物の補強板でもってポールの上下端と天井面及び床面とを取付・固定するようにしたので、補強板を適宜な態様のものに選択することによって、天井面及び床面とに十分弧な接触固定面積を得ることができるため、ポールが安定して固定されたものとなる。
【図面の簡単な説明】
【００１４】
【図１】この考案に係る介護用ポール装置の一実施形態の概略斜視図
【図２】同実施形態のポール部材の接続締結金具を示し、（ａ）は平面図、（ｂ）は正面図、（ｃ）は半割リングの正面図、（ｄ）は半割リングの斜視図
【図３】両実施形態の床固定部分の切断正面図
【図４】図３のＩＩＩ−ＩＩＩ線断面図
【図５】図３のＩＶ−ＩＶ線断面図
【図６】両実施形態の床固定部分のカバーを持ち上げた状態の斜視図
【図７】両実施形態の床固定部分のガイド筒を持ち上げた状態の斜視図
【図８】同実施形態の床面用補強板を示し、（ａ）は斜視図、（ｂ）は平面図、（ｃ）は正面図
【図９】両実施形態の弾性支持機構（天井固定具）を示す切断正面図
【図１０Ａ】同弾性支持機構のケーシング（筐体）を示し、（ａ）は斜視図、（ｂ）は平面図
【図１０Ｂ】同弾性支持機構の摺動板を示し、（ａ）は斜視図、（ｂ）は平面図、（ｃ）は下面図
【図１０Ｃ】ケーシング底板部分を示し、（ａ）は斜視図、（ｂ）は切断正面図
【図１０Ｄ】同弾性支持機構のケーシングの天板を示し、（ａ）は斜視図、（ｂ）は下面図
【図１１】両実施形態の天井面用補強板を示し、（ａ）は下面図、（ｂ）は（ａ）の正面図
【図１２】床面用補強板の他例を示し、（ａ）は平面図、（ｂ）は（ａ）の正面図
【図１３】床面用補強板のさらに他例を示し、（ａ）は平面図、（ｂ）は正面図
【図１４】天井面用補強板の他例の下面図
【図１５】天井面用補強板のさらに他例の下面図
【図１６】天井面用補強板のさらに他例を示し、（ａ）は下面図、（ｂ）は（ａ）の正面図
【図１７】天井面用補強板のさらに他例の下面図
【図１８】天井面用補強板のさらに他例の下面図
【図１９】天井面用補強板のさらに他例の下面図
【図２０】この考案に係る介護用ポール装置の他の実施形態の概略斜視図
【図２１】天井面用補強板のさらに他例を示し、（ａ）は正面図、（ｂ）は下面図
【図２２】天井面用補強板のさらに他例を示し、（ａ）は下面図、（ｂ）は（ａ）の正面図
【図２３】同天井面用補強板の使用状態を示す一部概略斜視図
【図２４】天井面用補強板のさらに他例を示す一部概略斜視図
【図２５】天井面用補強板のさらに他例を示す一部概略斜視図
【考案を実施するための形態】
【００１５】
この考案に係る縦型介護用ポール装置の一実施形態を図１乃至図１１に示し、この縦型介護用ポール装置Ａは、例えば部屋のコーナ部分に、従来と同様に、床面Ｆと天井面Ｃの間に垂直（上下）に介設する。
その上下方向のポール１の下端に床面Ｆに固定する床固定具２０、上端に天井面Ｃに固定する天井固定具３０がそれぞれ補強板４０、５０を介在して設けられている。
【００１６】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される。
【００１７】
その接続締結金具１０は、図２に示すように、円筒状半割リング１１、１１の対からなり、その各リング１１の両側にはそれぞれフランジ１２、１２、１２、１２が設けられている。対向するフランジ１２には同一軸上の孔１３が形成されて、その一方がタッピングねじ孔となっている。半割リング１１は軸方向中程まで肉薄となって段差１４が形成されている。
このため、この対の円筒状となった半割リング１１、１１に他方（下側）のポール部材１ｂを嵌めると、その段差１４にポール部材１ｂの上端が係止して、その上端に接続締結金具１０が取付けられる。接続締結金具１０は、対向するフランジ１２の一方の孔１３にボルト１５を差し込んで同他方の孔１３にねじ込むことによって両リング１１、１１が締まって（縮径して）接続締結機能を発揮する。
【００１８】
ポール１の長さ（両台座２１、３１の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材１ｂに嵌め込んで所要の長さにした後、その嵌め込み状態で接続締結金具１０のボルトをねじ込んで行ったりする。
【００１９】
床固定具２０を図３〜図７に示し、その台座２１は、鋼板製ベース板から成り、そのベース板２１（床面用台座）の中心には全長に亘ってねじが形成されたボルト２２が立設（植設）されている。このボルト２２は、その下端２２ａを研削して縮径し、その縮径端部２２ａを台座２１の孔２１ａに嵌めて溶接することによって強固に立設されている。
ボルト２２には、ロックナット２３、ジャッキコマ２４、回転防止コマ２５、上昇防止用ナット２３ａ及び固定ナット２３ｂが設けられている。ロックナット２３、ジャッキコマ２４、上昇防止用ナット２３ａ及び固定ナット２３ｂはボルト２２にねじ通されている。
ベース板２１は補強板４０にビス２１ｂにより固定される。回転防止コマ２５の周りにはガイド筒２６が設けられている。
上記ロックナット２３はジャッキコマ２４下面に圧接されてその弛みを防止する。上昇防止用ナット２３ａ及び固定ナット２３ｂは相互に締め付けられてボルト２２の所要位置に固定されて回転防止コマ２５（ジャッキコマ２４）が必要以上に上昇するのを阻止して、天井が損傷されるのを防止する。
【００２０】
回転防止コマ２５は、ＭＣナイロン（６ナイロンと呼ばれるポリアミド樹脂）等の樹脂製であって、ボルト２２に上下動自在に嵌め込まれている。回転防止コマ２５の上面は円状凹部に形成されてこの凹部にポール部材１ｂの下端が嵌っている。回転防止コマ２５の外周等分位置（この実施形態では周囲８等分位置）に上下方向全長に亘るガイド溝２５ａが形成されている。
ガイド筒２６は、アルミニウム製の円筒状引き抜き品であって、円筒の内面に上下方向の対の弧状突条２６ａ、２６ａが形成されて、その対の弧状突条２６ａは凹側が向き合って円状空間を形成しており、その対の突条２６ａが前記溝２５ａに嵌る突条となるとともに、床面用台座２１からのビス２１ｃが前記空間を介してねじ込まれてガイド筒２６が床面用台座２１に固定されている。
【００２１】
この構成によって、ジャッキコマ２４がボルト２２に対して回転することによって昇降し、それに伴って回転防止コマ２５が昇降する。このため、回転防止コマ２５の上面に他方のポール部材１ｂの下端が当接して（嵌って）いることによって、ポール部材１ｂ（ポール１）も昇降する。ジャッキコマ２４の回転は外周面の孔２４ａに棒材を嵌める等によって行う。
【００２２】
回転防止コマ２５には埋め込みビス（イモネジ）２５ｄが周囲等間隔に設けられており（図４参照）、このビス２５ｄをねじ穴にねじ込んで、そのビス２５ｄの尖った先端をポール部材１ｂに圧接することによってポール部材１ｂと回転防止コマ２５が一体になる。この一体化によって、回転防止コマ２５はガイド筒２６を介して台座２１に固定されるため、ポール部材１ｂ（ポール１）の回転が阻止される。ビス２５ｄの数は任意である。
【００２３】
ボルト２２の頂部にはＡＢＳ樹脂（アクリロニトリル・ブタジエン・スチレン共重合合成樹脂）製振れ止め用安定コマ２７がねじ込まれている。安定コマ２７は他方のポール部材１ｂ内に移動可能にぴったり嵌り込む（ポール部材１ｂ内径と安定コマ２７の外径はほぼ同一となっている。）。
【００２４】
このボルト２２、ジャッキコマ２４等によって突張力調整機構が構成され、この突張力調整機構（床固定具）２０に円錐台筒状のＡＳＡ樹脂（アクリロニトリル・スチレン・アクリルゴム）製状カバー２８が被せられる。このカバー２８は他方のポール部材１ｂに嵌めてその軸方向に移動自在である。
以上の台座２１と、ボルト２２と、安定コマ２７と、ジャッキコマ２４と、回転防止コマ２５と、ガイド筒２６等とから床固定具２０は成る。
【００２５】
上記床面用補強板４０は、図８に示すように、木製集合板からなってほぼ六角形をしており、その周縁は所要の角度を持った傾斜面４１となっている。この補強板４０の裏面（図８（ａ）において下面）が床面Ｆとの接触面となるため、その接触面積は、実験などによって安定した固定強度が得られるように適宜に設定する。
【００２６】
天井固定具３０を図９、図１０Ａ〜図１０Ｄに示し、その台座３１は鋼板製円形板からなる。
この台座３１の下面に同図に示す弾性支持機構が構成されている。この弾性支持機構は、円筒状ケーシング（筐体）３２内に構成されて、コイルばね３３、摺動板３４からなる。ばね３３の数は、図示の対の２個に限らず、複数の場合はポール１の軸心に対して対称位置とする。１つのコイルばね３３であれば、そのばね３３の中心とポール１の軸心を同じとする。
【００２７】
ケーシング３２はアルミニウム製の引き抜き品であって、円筒状を呈してその内面に上下方向の突条３２ａが形成されている（図１０Ａ参照）。この実施形態では、突条３２ａは対の弧状突片を対向させたものであり、対の突片の内面によって下記の皿ねじ３２ｆのねじ込み面（孔）を形成する。
【００２８】
摺動板３４は少なくとも側面が滑性の高い樹脂からなり、この実施形態ではＰＯＭ（ポリアセタール）樹脂からなる。この摺動板３４はケーシング３２の内部円形状と同一の円板状であり、その周囲等間隔に溝３４ａを有している（図１０Ｂ参照）。この溝３４ａにケーシング３２内面の前記突条３２ａが嵌る。この突条３２ａは、少なくとも摺動板３４が上下に移動する長さがあれば良い。摺動板３４に突条、ケーシング３２内面に溝を形成することもでき、このとき、溝は少なくとも摺動板３４が上下に移動する長さがあれば良い。溝３４ａ及び突条３２ａの数及び間隔は、摺動板３４の昇降を円滑に案内できる限りにおいて１つ、２つ、３つ等、及び非等間隔などと任意である。
【００２９】
摺動板３４の上面は適宜にリブ３４ｂが形成されて補強とともにばね座３４ｃが形成されている。
一方、摺動板３４の下面にはアルミニウム板製当て板３５が嵌められてボルト・ナット３６によって固定されている。その当て板３５下面の中央にはアルミニウム製無垢棒３７がボルト３７ａによって固定され、その無垢棒３７に一方のポール部材１ａの上端が嵌め込まれてビス３７ｂ止めされている（図９、図１０Ｃ参照）。
【００３０】
ケーシング３２の上面には図１０Ｄに示す上記天井面台座３１からなる天板３２ｂが嵌って、その天板３２ｂは前記突条３２ａに透孔３２ｅを介して皿ビス３２ｆをねじ込むことによってケーシング３２に一体となっている。さらに、天板３２ｂは補強板５０にビス３２ｇ止めされ、ボルト３８がねじ込まれている。このボルト（ナット）３８と底板（当て板）３５のボルト・ナット３６の間にコイルばね３３が介装されている（図９参照）。
【００３１】
なお、図９中、３９はＡＳＡ樹脂製カバーであり、このカバー３９、ケーシング３２は断面円形の箱状に限らず、断面方形等と任意であり、その材料も金属や樹脂に限定されない。このとき、ケーシング３２の断面形状に対応させてコイルばね３３の数や配置等を適宜に変更することは勿論である。
【００３２】
上記天井面用補強板５０は、図１１に示すように、木製集合板からなって六角形をしており、その周縁はＲ状の面取り５０ａが行われている。この補強板４０の表面（図１１（ｂ）において上面）には上記コイルばね３３を支持するボルト３８の頭部を納める凹部５１が形成され、その裏面（図１１（ｂ）において下面）は天井面Ｃとの接触面となるため、その接触面積は、実験などによって安定した固定強度が得られるように適宜に設定する。
【００３３】
この実施形態の縦型介護用ポール装置Ａは以上の構成であり、床面Ｆと天井面Ｃの間にこの介護用ポール装置Ａを設置する場合、まず、床固定具２０において、図６に示すカバー２８を上昇させた状態で、床面用補強板４０にベース板２１をビス２１ｂにより固定する。補強板４０の裏面（下面）には滑り止めシート（板）を貼着することができる。
つぎに、天井固定具３０において、カバー３９を下ろした状態（ケーシング３２が露出した状態）で、天井面用補強板５０に台座３１（天板３２ｂ）をビス３２ｇにより固定する。補強板４０の裏面（図９において上面）には滑り止めシート（板）を貼着することができる。この後、図９に示すように、カバー３９を上げて補強板５０にビス３２ｇにより固定する。このとき、コイルばね３３用ボルト３８の頭部は補強板５０の凹部５１内に納める。
【００３４】
この両補強板４０、５０を取り付けた縦型介護用ポール装置Ａを床面Ｆと天井面Ｃの間に取り付けるには、まず、上下の台座２１、３１（両補強板４０、５０）の間隔（ポール１の自然長）が床面Ｆと天井面Ｃの間隔の少し短い長さとして、この縦型介護用ポール装置Ａを床面Ｆと天井面Ｃの間に位置させる。
その状態で、図６、図７に示すように、カバー２８を上方にずらし、ジャッキコマ２４を回して回転防止コマ２５を上昇させ、他方（下側）のポール部材１ｂ（ポール１）を上方に持ち上げる。このポール１の上昇につれ台座３１（補強板５０）が天井面Ｃに強固に押し付けられてポール１が不動となる。このジャッキコマ２４の回転はガイド筒２６の開口２６ｂから棒材を孔２４ａに差し込んで行う。
このポール１が床面Ｆと天井面Ｃとの間に不動に設置されれば、図３に示すように、床固定具２０のカバー２８を下ろしてベース板２１にビス止めする。
【００３５】
なお、必要であれば、固定ナット２３ｂの上側にさらにナットを設け、そのナットを安定コマ２７の下面に圧接してボルト２２と安定コマ２７の一体化を高めることもできる。また、補強板４０、５０も床面Ｆ、天井面Ｃにビス止めすることができる。
【００３６】
床面用補強板４０としては、上記図８に示す形状に限らず、設置場所や接地面の態様に応じて適宜な形状のものを採用できる。例えば、図１２に示す、小判状の床面用補強板４２、図１３に示す、八角形状のもの４３等が考えられる。これらにおいて、図１２（ｂ）に示すように、周縁をＲ状の面取り４２ａとしたり、図１３に示すように、周縁を傾斜面４３ａとしたりすることができる。
【００３７】
天井面用補強板としては、上記図１１に示す形状に限らず、設置場所や接地面の態様に応じて適宜な形状のものを採用できる。例えば、図１４に示す下面視小判状天井面用補強板５２、同台形状天井面用補強板、又は図１５に示す同八角形状（正方形の四隅をＣカットした形状）天井面用補強板５３等を採用できる。それらの天井面用補強板５２、５３等の周縁は上記のようにＲ状の面取りをしたり、傾斜面としたりすることができる。
また、天井面用補強板の他例である図１６に示す天井面用補強板５４は、下面視小判状５４ａの一側両端部に半小判突片５４ｂを設けた形状であり、同図１７に示す天井面用補強板５５は、同小判状５５ａの中央部両側に半小判状突片５５ｂを設けた形状であり、図１８に示す天井面用補強板５６は、同小判状５６ａの中央の一側のみに半小判状突片５６ｂを設けた形状であり、図１９に示す天井面用補強板５７は、小判状５７ａの両端両側に半円状突片５７ｂを設けた形状である。
それらの天井面用補強板５４〜５７等の周縁は上記のようにＲ状の面取りをしたり、傾斜面としたりすることができる。
【００３８】
上記各天井面用補強板５２〜５７は、上記各形状の床面用補強板４０、４２、４３等と適宜に組み合わせて使用すれば良く、例えば、図１３に示す床面用補強板４３と図１７に示す天井面用補強板５５を使用した縦型介護用ポール装置Ａを図２０に示す。
【００３９】
さらに、天井面Ｃには、水平フラットでない場合や和天井のように竿等の突条を有するものがある。この場合、図２１に示す補強板６０や図２２に示す補強板７０とし得る。
その水平フラットでない傾斜を有する天井面Ｃに対応する補強板６０にあっては、図２１に示すように、２枚の板片６１、６１を角度を持って蝶番６２によって連結したものであり、ボルト６３によって両板片６１、６１の成す角度θを調整して、下側の板片６１が水平になるようにする。一方の板片６１には、天井固定具３０の台座３１が嵌る凹部４４を形成している。凹部６４に台座３１を嵌めればビス３２ｇで止める必要は無くなるが、ビス止めすることもできる。凹部７４は省略できる。
この天井面用補強板６０は、図２１（ａ）に示すように、上側の板片６１を傾斜する天井面Ｃに沿わせ、下側の板片６１が水平になるようにして、その補強板６０と床面用補強板４０等との間にポール１を介在する。
【００４０】
和天井のように竿等の突条を有する天井面に対応する補強板７０にあっては、図２２に示すように、下面視、長尺板７１の両端に横方向に延びる腕片７２を設け、その腕片７２の先端裏側には当て片７３を設けたものとする。腕片７２は長尺板７１の長さ方向に取付位置が可変となっており、当て片７３も腕片７２の長さ方向に取付位置が可変となっている。腕片７２の長尺板７１に対する位置調整は、ボルト７４を長尺板７１の複数の任意の孔７５にねじ込むことによって行う。当て片７３の腕片７２に対する取付位置調整は、ボルト７６を溝７７を介して当て片７３の孔７８にねじ込むことによって行う。ボルト７４、７６がねじ込まれる孔７５、７８にはナットを嵌め込み固定している。各当て片７３には、腕片７２の長さ方向のボルト７９が凹部７９ａまで貫通している。
【００４１】
この天井面補強板７０でもって、和天井の天井面の部屋にこの縦型介護用ポール装置Ａを設けるには、例えば、図２３に示すように、竿ｄに当て片７３を凹部７９ａを介して嵌め込み、腕片７７の端部を縁竿ｄ’に宛がう。このとき、当て片７３の凹部内及び腕片７７の端部の竿ｄ、縁竿ｄ’との当接面には滑り止めシートを貼着することができる。当て片７３は、ボルト７９をねじ込んでその頭部を竿ｄに突き当てることによって竿ｄに固定する。
【００４２】
なお、和天井においては、図２４、図２５に示す、長尺板８１に上記当て片７３を設けた天井面用補強板８０を採用することもできる。
また、床面用補強板４０、天井面用補強板５０は、上記形状に限定されず、平面視（下面視）、四角形状、同八角形状、同台形状、同正多角形状等と十分な補強強度を得られる限りにおいて任意の形状を採用できることは勿論である。
因みに、各部材（ポール１、台座２１、３１、カバー２８、ケーシング３２、カバー３９、補強板４０、４０等）に塗装を行う場合は、その塗装表面にパーカー処理を施すことは言うまでもない。また、各補強板４０、４２、４３、５０、５２、５３、５４、５５、５６、５７、６０、７０、８０は木製集合板から製作したが、この補強板及び他の各部材はその機能を発揮する限りにおいて前記の材料に限定されないことは言うまでもない。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００４３】
Ａ  縦型介護用ポール装置
１  ポール
１ａ  一方（上側）のポール部材
１ｂ  他方（下側）のポール部材
１０  ポール部材の接続締結金具
２０  床固定具
２１  床面用台座
２２  ポール長さ調整用ボルト
２３  ロックナット
２３ａ  上昇防止用ナット
２３ｂ  固定ナット
２４  ジャッキコマ
２５  回転防止コマ
２５ａ  ガイド溝
２６  ガイド筒
２６ａ  突条
２７  振れ止め用安定コマ
２８  カバー
３０  天井固定具
３１  天井面用台座
４０、４２、４３  床面用補強板
５０、５２、５３、５４、５５、５６、５７、６０、７０、８０  天井面用補強板
５０ａ  面取り
【図１】
0003219469.tif 000003
【図２】
0003219469.tif 000004
【図３】
0003219469.tif 000005
【図４】
0003219469.tif 000006
【図５】
0003219469.tif 000007
【図６】
0003219469.tif 000008
【図７】
0003219469.tif 000009
【図８】
0003219469.tif 000010
【図９】
0003219469.tif 000011
【図１０Ａ】
0003219469.tif 000012
【図１０Ｂ】
0003219469.tif 000013
【図１０Ｃ】
0003219469.tif 000014
【図１０Ｄ】
0003219469.tif 000015
【図１１】
0003219469.tif 000016
【図１２】
0003219469.tif 000017
【図１３】
0003219469.tif 000018
【図１４】
0003219469.tif 000019
【図１５】
0003219469.tif 000020
【図１６】
0003219469.tif 000021
【図１７】
0003219469.tif 000022
【図１８】
0003219469.tif 000023
【図１９】
0003219469.tif 000024
【図２０】
0003219469.tif 000025
【図２１】
0003219469.tif 000026
【図２２】
0003219469.tif 000027
【図２３】
0003219469.tif 000028
【図２４】
0003219469.tif 000029
【図２５】
0003219469.tif 000030